(57)【要約】  アノテーションの追加・修正する際の操作性の向上を図り、使い勝手のよい医用画像表示装置を実現する。  モダリティ情報と、検査部位情報と、アノテーションデータとを対応付けて記憶するアノテーション登録テーブル７４を予め記憶部７０に記憶しておく。検像装置１のＣＰＵ１０は、モダリティＭから受信した医用画像データを検像待ちリストテーブル７２に蓄積記憶する。そして、入力部２０の操作により指定された医用画像データが有するヘッダ情報からモダリティ情報と検査部位情報とを抽出し、そのモダリティ情報と検査部位情報とに適合するアノテーションデータをアノテーション登録テーブル７４から読み出す。次いで、読み出したアノテーションデータを表示部３０に表示させ、選択されたアノテーションデータを、医用画像上の指定された座標位置上に貼り付けて医用画像データを更新する。
2007119615.tif 000002
【特許請求の範囲】
【請求項１】
医用画像生成装置毎にアノテーションデータを対応付けて記憶する記憶手段と、
前記医用画像生成装置から受信した医用画像データに基づいて医用画像を表示する表示手段と、
前記医用画像データを受信した医用画像生成装置に対応付けられたアノテーションデータを前記記憶手段から読み出して一覧表示する一覧表示手段と、
ユーザ操作に従って前記一覧表示手段による一覧表示中のアノテーションデータを選択する選択手段と、
前記選択手段により選択されたアノテーションデータを前記受信した医用画像データに合成する合成手段と、
を備えることを特徴とする医用画像表示装置。
【請求項２】
前記医用画像生成装置における検査条件を取得する取得手段を更に備え、
前記記憶手段は、
前記検査条件毎に前記アノテーションデータを対応付けて記憶する検査条件別記憶手段を有し、
前記一覧表示手段は、
前記取得手段により取得された検査条件に対応付けられたアノテーションデータを前記検査条件別記憶手段から読み出して一覧表示することを特徴とする請求の範囲第１項に記載の医用画像表示装置。
【請求項３】
医用画像生成装置における検査条件毎にアノテーションデータを対応付けて記憶する検査条件別記憶手段と、
前記医用画像生成装置から受信した医用画像データに基づいて医用画像を表示する表示手段と、
前記医用画像データを受信した医用画像生成装置における検査条件を取得する取得手段と、
前記取得手段により取得された検査条件に対応付けられたアノテーションデータを前記検査条件別記憶手段から読み出して一覧表示する一覧表示手段と、
ユーザ操作に従って前記一覧表示手段による一覧表示中のアノテーションデータを選択する選択手段と、
前記選択手段により選択されたアノテーションデータを前記受信した医用画像データに合成する合成手段と、
を備えることを特徴とする医用画像表示装置。
【請求項４】
前記医用画像データは、前記医用画像生成装置における検査条件を含み、
前記取得手段は、
前記受信した医用画像データから前記検査条件を抽出する抽出手段を有し、
前記一覧表示手段は、
前記抽出手段により抽出された検査条件に対応付けられたアノテーションデータを前記検査条件別記憶手段から読み出して一覧表示することを特徴とする請求の範囲第２項又は第３項に記載の医用画像表示装置。
【請求項５】
前記取得手段は、
前記医用画像データの生成指示を行う診療情報システムから前記医用画像生成装置における検査条件を受信する受信手段を有し、
前記一覧表示手段は、
前記受信手段により受信された検査条件に対応付けられたアノテーションデータを前記検査条件別記憶手段から読み出して一覧表示することを特徴とする請求の範囲第２項〜第４項の何れか一項に記載の医用画像表示装置。
【請求項６】
前記表示手段により表示された医用画像上のアノテーション表示位置を指定する指定手段を更に備え、
前記合成手段は、
前記指定手段により指定された医用画像上の位置に前記選択手段により選択されたアノテーションデータを合成して前記医用画像データを更新することを特徴とする請求の範囲第１項〜第５項の何れか一項に記載の医用画像表示装置。
【請求項７】
コンピュータを、
医用画像生成装置毎にアノテーションデータを対応付けて記憶する記憶手段、
前記医用画像生成装置から受信した医用画像データに基づいて医用画像を表示する表示手段、
前記医用画像データを受信した医用画像生成装置に対応付けられたアノテーションデータを前記記憶手段から読み出して一覧表示する一覧表示手段、
ユーザ操作に従って前記一覧表示手段による一覧表示中のアノテーションデータを選択する選択手段、
前記選択手段により選択されたアノテーションデータを前記受信した医用画像データに合成する合成手段、
として機能させるためのプログラム。
【請求項８】
コンピュータを、
医用画像生成装置における検査条件毎にアノテーションデータを対応付けて記憶する検査条件別記憶手段、
前記医用画像生成装置から受信した医用画像データに基づいて医用画像を表示する表示手段、
前記医用画像データを受信した医用画像生成装置における検査条件を取得する取得手段、
前記取得手段により取得された検査条件に対応付けられたアノテーションデータを前記検査条件別記憶手段から読み出して一覧表示する一覧表示手段、
ユーザ操作に従って前記一覧表示手段による一覧表示中のアノテーションデータを選択する選択手段、
前記選択手段により選択されたアノテーションデータを前記受信した医用画像データに合成する合成手段、
として機能させるためのプログラム。
【発明の詳細な説明】
【技術分野】
【０００１】
本発明は、医用画像データに基づいた医用画像を表示する医用画像表示装置及びプログラムに関する。
【背景技術】
【０００２】
人体を撮影して、被写体の画像を含む医用画像データを生成するＣＴ（Computed Tomography）やＣＲ（Computed Radiography）、ＭＲＩ（Magnetic Resonance Imaging）、乳房撮影装置、超音波診断装置等といった様々な医用画像生成装置（以下、「モダリティ」という。）は、各種システムへ統合化される傾向にある。【０００３】
具体的には、ＨＩＳ（Hospital Information System：病院情報システム）やＲＩＳ（Radiological Information System：放射線情報システム）から患者情報や検査情報を含むオーダー情報が送信され、モダリティは、撮影技師の操作に従ってそのオーダー情報に基づいた撮影を行う。そして、その撮影によって得られた画像を含む医用画像データを、例えば、ＤＩＣＯＭ（Digital Imaging and Communications in Medicine）規格に基づいたデータ形式で生成した後に、ＰＡＣＳ（Picture Archiving and Communication System：画像保管管理システム）にデータ転送する。【０００４】
撮影技師は、医用画像データが転送される前に、オーダー情報通りの撮影を行ったか、診断に適した画質の医用画像であるか、医用画像データに含まれる各種情報が正しいか等を事前にチェック・確認する必要がある。このような点から、医用画像データの転送前に、当該医用画像データの確認及び修正を行う（以下、医用画像データの確認及び修正するという行為を「検像」という。）ための検像装置の実用化が望まれている。【０００５】
検像装置は、ＨＩＳやＲＩＳから送信されるオーダー情報と、モダリティから送信される医用画像データとを受信して、オーダー情報及び医用画像データを表示出力して、撮影技師がこれらのデータを目視にてチェックして修正・調整を行うための医用画像表示装置である。【０００６】
また、モダリティでの撮影には、その撮影する患者の検査部位や体位、撮影方向等の多くの検査条件があり、撮影された医用画像の再生表示からだけではその検査条件を判別し難い。このため、鉛マーカーを用いて撮影時の検査条件等の注釈（アノテーション）を示す画像（以下、「アノテーション画像」という。）を医用画像の一部として記録する手法が取られている。アノテーション画像の記録は、鉛マーカーを用いるといった物理的な手法の他、アノテーションの画像データを予め複数記憶しておき、選択された画像データを医用画像データに合成する方法も知られている（特許文献１参照）。
【特許文献１】特開２００５−２７０４２１号公報
【発明の開示】
【発明が解決しようとする課題】
【０００７】
しかし、特許文献１の超音波診断装置のようなモダリティによって合成されたアノテーション画像を修正したり、新たにアノテーション画像を追加したりする際には、次のような問題が生じてしまった。【０００８】
即ち、検査部位や体位、撮影方向等の違い、ユーザ毎の慣例・仕様の違い、モダリティの違いによって、アノテーション画像が異なるため、その種類は数百以上にも昇り膨大になる。このため、医用画像データに画像処理を施して、アノテーションの画像を追加・修正する場合には、膨大な種類のアノテーションの中から所望のアノテーションを選択しなければならなく、非常に煩雑な操作が必要であった。【０００９】
本発明は、上述した課題に鑑みて為されたものであり、その目的とするところは、アノテーションの追加・修正する際の操作性の向上を図り、使い勝手のよい医用画像表示装置を実現することである。
【課題を解決するための手段】
【００１０】
以上の課題を解決するために、本発明の第１の側面によると、
医用画像表示装置は、
医用画像生成装置毎にアノテーションデータを対応付けて記憶する記憶手段と、
前記医用画像生成装置から受信した医用画像データに基づいて医用画像を表示する表示手段と、
前記医用画像データを受信した医用画像生成装置に対応付けられたアノテーションデータを前記記憶手段から読み出して一覧表示する一覧表示手段と、
ユーザ操作に従って前記一覧表示手段による一覧表示中のアノテーションデータを選択する選択手段と、
前記選択手段により選択されたアノテーションデータを前記受信した医用画像データに合成する合成手段と、
を備える。【００１１】
また、前記医用画像生成装置における検査条件を取得する取得手段を更に備え、
前記記憶手段は、
前記検査条件毎に前記アノテーションデータを対応付けて記憶する検査条件別記憶手段を有し、
前記一覧表示手段は、
前記取得手段により取得された検査条件に対応付けられたアノテーションデータを前記検査条件別記憶手段から読み出して一覧表示することが好ましい。【００１２】
本発明の第２の側面によると、
医用画像表示装置は、
医用画像生成装置における検査条件毎にアノテーションデータを対応付けて記憶する検査条件別記憶手段と、
前記医用画像生成装置から受信した医用画像データに基づいて医用画像を表示する表示手段と、
前記医用画像データを受信した医用画像生成装置における検査条件を取得する取得手段と、
前記取得手段により取得された検査条件に対応付けられたアノテーションデータを前記検査条件別記憶手段から読み出して一覧表示する一覧表示手段と、
ユーザ操作に従って前記一覧表示手段による一覧表示中のアノテーションデータを選択する選択手段と、
前記選択手段により選択されたアノテーションデータを前記受信した医用画像データに合成する合成手段と、
を備える。【００１３】
また、前記医用画像データは、前記医用画像生成装置における検査条件を含み、
前記取得手段は、
前記受信した医用画像データから前記検査条件を抽出する抽出手段を有し、
前記一覧表示手段は、
前記抽出手段により抽出された検査条件に対応付けられたアノテーションデータを前記検査条件別記憶手段から読み出して一覧表示することが好ましい。【００１４】
また、前記取得手段は、
前記医用画像データの生成指示を行う診療情報システムから前記医用画像生成装置における検査条件を受信する受信手段を有し、
前記一覧表示手段は、
前記受信手段により受信された検査条件に対応付けられたアノテーションデータを前記検査条件別記憶手段から読み出して一覧表示することが好ましい。【００１５】
また、前記表示手段により表示された医用画像上のアノテーション表示位置を指定する指定手段を更に備え、
前記合成手段は、
前記指定手段により指定された医用画像上の位置に前記選択手段により選択されたアノテーションデータを合成して前記医用画像データを更新することが好ましい。【００１６】
本発明の第３の側面によると、
プログラムは、
コンピュータを、
医用画像生成装置毎にアノテーションデータを対応付けて記憶する記憶手段、
前記医用画像生成装置から受信した医用画像データに基づいて医用画像を表示する表示手段、
前記医用画像データを受信した医用画像生成装置に対応付けられたアノテーションデータを前記記憶手段から読み出して一覧表示する一覧表示手段、
ユーザ操作に従って前記一覧表示手段による一覧表示中のアノテーションデータを選択する選択手段、
前記選択手段により選択されたアノテーションデータを前記受信した医用画像データに合成する合成手段、
として機能させる。【００１７】
本発明の第４の側面によると、
プログラムは、
コンピュータを、
医用画像生成装置における検査条件毎にアノテーションデータを対応付けて記憶する検査条件別記憶手段、
前記医用画像生成装置から受信した医用画像データに基づいて医用画像を表示する表示手段、
前記医用画像データを受信した医用画像生成装置における検査条件を取得する取得手段、
前記取得手段により取得された検査条件に対応付けられたアノテーションデータを前記検査条件別記憶手段から読み出して一覧表示する一覧表示手段、
ユーザ操作に従って前記一覧表示手段による一覧表示中のアノテーションデータを選択する選択手段、
前記選択手段により選択されたアノテーションデータを前記受信した医用画像データに合成する合成手段、
として機能させる。
【発明の効果】
【００１８】
本発明の第１又は第３の側面によれば、医用画像データを受信した医用画像生成装置に対応付けられたアノテーションデータを読み出して一覧表示する。このため、ユーザは、医用画像生成装置毎のアノテーションデータの中から容易に所望のアノテーションデータを選択して、医用画像データに合成させることができる。従って、アノテーションの追加・修正する際の操作性の向上を図り、使い勝手のよい医用画像表示装置を実現することができる。【００１９】
本発明の第２又は第４の側面によれば、医用画像生成装置における検査条件を取得し、その検査条件に対応付けられたアノテーションデータを読み出して一覧表示する。このため、ユーザは、検査条件毎のアノテーションデータの中から容易に所望のアノテーションデータを選択して、医用画像データに合成させることができる。従って、アノテーションの追加・修正する際の操作性の向上を図り、使い勝手のよい医用画像表示装置を実現することができる。【００２０】
また、医用画像データから検査条件を抽出するものでは、当該医用画像データに適したアノテーションデータの一覧が表示される。【００２１】
また、診療情報システムから検査情報を受信するものでは、医用画像データの生成指示に適したアノテーションデータの一覧が表示される。【００２２】
また、表示された医用画像上に指定した位置に選択されたアノテーションデータを合成して医用画像データを更新するものでは、ユーザは、所望の位置のアノテーションデータを記録できるため、医用画像データに新たにアノテーションを追加したり、既に記録されたアノテーションの修正を行うことができる。
【図面の簡単な説明】
【００２３】
【図１】放射線科システムのシステム構成の一例を示すブロック図。
【図２Ａ】医用画像データのデータ構成の一例を示す図。
【図２Ｂ】ヘッダ情報のデータ構成の一例を示す図。
【図３】検像装置の機能構成の一例を示すブロック図。
【図４】第１実施形態におけるアノテーション登録テーブルのデータ構成の一例を示す図。
【図５】検像装置の具体的な動作を説明するためのフローチャート。
【図６】第１実施形態のおけるアノテーション補正処理の処理内容を説明するためのフローチャート。
【図７Ａ】検像装置の表示画面の一例を示す図。
【図７Ｂ】検像装置の表示画面の一例を示す図。
【図８】オーダー情報のデータ構成の一例を示す図。
【図９】第２実施形態におけるアノテーション登録テーブルのデータ構成の一例を示す図。
【図１０】第２実施形態のおけるアノテーション補正処理の処理内容を説明するためのフローチャート。
【発明を実施するための最良の形態】
【００２４】
以下、本発明の医用画像表示装置を図１の検像装置１に適用した場合の実施形態について図１〜図１０を参照して説明する。【００２５】
先ず、検像装置１を有する放射線科システムＳの概要について図１を用いて説明する。図１は、放射線科システムＳのシステム構成の一例を示すブロック図である。図１によれば、放射線科システムＳは、検像装置１と、ＲＩＳ２と、モダリティＭ（Ｍ１，Ｍ２）と、ビューア３と、イメージャ４と、ＰＡＣＳ５とが通信ネットワークＮ２に接続されて、それぞれがデータ通信可能に構成されている。また、ＲＩＳ２は、院内ネットワークＮ１を介してＨＩＳ６とデータ通信可能に構成されている。【００２６】
ＨＩＳ（病院情報システム）６は、ＣＰＵ（Central Processing Unit）や記憶部、入
力部、表示部、通信部等を有するコンピュータにより構成され、医療事務会計や診療予約、電子カルテの管理、検査及び薬剤等の各部門へのオーダリング等、病院内の情報を統括的に管理するシステムである。ＨＩＳ６は、医師から放射線科システムＳでの撮影依頼を受け付けて、その撮影依頼の内容を含むオーダー情報Ｄ１を生成する。そして、そのオーダー情報Ｄ１を院内ネットワークＮ１を介してＲＩＳ２に送信する。オーダー情報Ｄ１は、撮影を行う患者の氏名やＩＤ、性別等の患者情報と、医師がオーダーした検査を識別する検査ＩＤ、検査部位、撮影方向及び体位といった検査条件を示す検査情報とを含むデータである。【００２７】
ＲＩＳ（放射線情報システム）２は、ＣＰＵや記憶部、入力部、表示部、通信部等を有するコンピュータにより構成され、放射線科部門内における診療予約、診断結果のレポート、実績管理、材料在庫管理等の情報管理を行い、放射線科システムＳ内の情報を統括的に管理するシステムである。ＲＩＳ２はＨＩＳ６から送信されたオーダー情報Ｄ１を受信し、そのオーダー情報Ｄ１に基づいて、撮影を行うモダリティを判別して、当該オーダー情報Ｄ１をモダリティＭに送信する。また、モダリティＭへのオーダー情報Ｄ１の送信と共に、検像装置１へも同じオーダー情報Ｄ１を送信する。【００２８】
モダリティＭは、ＣＴやＣＲ、ＭＲＩ、乳房撮影装置、超音波診断装置等であり、撮影技師の操作に従って撮影して得られた画像のデータ信号をＤＩＣＯＭ規格に則したデジタルデータに変換して医用画像データＤ３を生成する。モダリティＭは、生成した医用画像データＤ３を検像装置１に送信する。【００２９】
例えば、ＣＲは、被写体に放射線を照射して、その被写体を透過した放射線をプレート状の輝尽性蛍光体に吸収させる。そして、この輝尽性蛍光体を例えばレーザ光で走査しながら励起することにより、この輝尽性蛍光体が蓄積している放射線エネルギを発光させ、その発光を光電変換して得られた放射線画像のデータ信号をデジタル変換して被写体の画像データを生成する。【００３０】
図２Ａ及び図２Ｂに、医用画像データＤ３のデータ構造の一例を示す。図２Ａによれば、医用画像データＤ３は、ヘッダ情報Ｄ５と画像データＤ７とを有して構成される。ヘッダ情報Ｄ５は、図２Ｂに示すように、モダリティ情報Ｄ５１、検査情報Ｄ５２、患者情報Ｄ５３及び検査部位情報Ｄ５４を有して構成され、例えば、ＤＩＣＯＭ規格に則ったデータである。尚、図２Ｂに示すヘッダ情報Ｄ５は、本実施形態において主要なデータを模式化しものであり、他のデータの図示は省略している。【００３１】
モダリティ情報Ｄ５１は、ヘッダ情報Ｄ５に対応付けられた画像データＤ７の生成を行ったモダリティＭの種別を示すデータであり、当該モダリティＭにより設定される。検査情報Ｄ５２は、検査内容を示すデータであり、医師がＨＩＳ６からオーダリングした一つの検査に対して割り振られるユニークなＩＤや検査日時等が含まれる。【００３２】
患者情報Ｄ５３は、撮影した患者の氏名やＩＤ、性別等を含むデータである。検査部位情報Ｄ５４は、患者の撮影対象となる部位を示すデータであり、検査条件の一つである。これら検査情報Ｄ５２、患者情報Ｄ５３及び検査部位情報Ｄ５４は、ＲＩＳ２から受信したオーダー情報Ｄ１に基づいて設定される。【００３３】
検像装置１は、ＲＩＳ２から送信されるオーダー情報Ｄ１と、モダリティＭから送信される医用画像データＤ３とを受信して、後述する検像待ちリストテーブル７２にデータを蓄積していき、撮影技師の検像を待機する。「検像」とは、オーダー情報Ｄ１通りの撮影を行ったか、画像データＤ７が診断に適した画質であるか、オーダー情報Ｄ１とヘッダ情報Ｄ５との整合性が取れているか等を医用画像データＤ３のＰＡＣＳ５への転送する前に確認及び修正する行為である。撮影技師が各医用画像データＤ３の検像を行うと、当該撮影技師の操作に従ってその医用画像データＤ３はＰＡＣＳ５に転送される。【００３４】
ビューア３は、ＬＣＤ（Liquid Crystal Display）等を備えて構成され、医用画像データＤ３に基づいて医用画像を表示出力する表示装置である。読影医等が再生表示する医用画像データＤ３を指定すると、その医用画像データＤ３をＰＡＣＳ５から読み出して再生表示する。【００３５】
イメージャ４は、フィルムデジタイザ等により構成され、医用画像データＤ３に基づいた医用画像を記録媒体上に画像形成して出力する画像形成装置である。読影医等が画像形成する医用画像データＤ３を指定すると、その医用画像データＤ３がＰＡＣＳ５から読み出されて、熱感光フィルム等の記録媒体上に医用画像の画像形成を行って出力する。【００３６】
ＰＡＣＳ５は、ＣＲ、ＣＴ及びＭＲＩ等の医用画像生成装置から送信される医用画像データＤ３を保存管理し、検索やデータ解析を行うデータベースシステムである。ＰＡＣＳ５は、ＣＰＵや記憶部、通信部等を備えて構成され、検像装置１から受信した医用画像データＤ３に含まれるヘッダ情報Ｄ５に基づいて当該医用画像データＤ３を例えば、リレーショナルデータベースに蓄積記憶していく。そして、読影医等の操作指示に応じて指定された患者ＩＤや検査ＩＤ等を検索キーとして医用画像データＤ３を検索し、ビューア３やイメージャ４に出力する。【００３７】
〔第１実施形態〕
次に、検像装置１の第１実施形態について図３〜図７Ｂを用いて説明する。先ず、第１実施形態における検像装置１の機能構成について説明する。【００３８】
図３は、検像装置１の機能構成の一例を示すブロック図である。図３によれば、検像装置１は、ＣＰＵ１０と、入力部２０と、表示部３０と、通信部４０と、ＲＯＭ（Read Only Memory）５０と、ＲＡＭ（Random Access Memory）６０と、記憶部７０とを備えて構成される。【００３９】
ＣＰＵ１０は、各機能部の動作の制御と、機能部間のデータ入出力の制御等を行うことで検像装置１を統括的に管理・制御する制御部である。具体的には、入力部２０から入力される操作信号に応じてＲＯＭ５０や記憶部７０に格納されたプログラムを読み出し、当該プログラムに従った処理を実行する。そして、その処理結果に基づいて、表示部３０の表示画面の更新や記憶部７０へのデータの記憶、外部機器とのデータ通信等を行う。【００４０】
入力部２０は、カーソルキーやテンキー等の各種キー群や、マウスやタッチパネル等のポインティングデバイスを備えて構成される。入力部２０は、ユーザに押下されたキーに対応する操作信号や、ポインティングデバイスにより指定された画面上の座標位置に対応する操作信号をＣＰＵ１０に出力する。【００４１】
表示部３０は、ＣＲＴ（Cathode-ray Tube）やＬＣＤ等により構成され、ＣＰＵ１０の制御に基づいた表示画面の表示や、医用画像データＤ３の再生表示等を行う。通信部４０は、ＬＡＮインターフェイス等により構成され、通信ネットワークＮ２を介してＲＩＳ２やモダリティＭ、ＰＡＣＳ５等の外部機器との間でデータ通信を行う機能部である。【００４２】
ＲＯＭ５０は、不揮発性の半導体メモリで構成され、各種初期設定、ハードウェアの検査、又は必要なプログラムのロード等を行うための初期プログラムを格納する。ＲＡＭ６０は、書き換え可能な半導体素子で構成され、ＣＰＵ１０が実行する各種プログラムやこれらのプログラムの実行に係るデータ等を一時的に保持する。【００４３】
記憶部７０は、磁気的、光学的な記憶媒体にデータの読み書きを行う機能部であり、ＨＤＤ（Hard Disk Drive）等により構成される。図３によれば、記憶部７０は、検像待ちリストテーブル７２とアノテーション登録テーブル７４とを記憶している。【００４４】
検像待ちリストテーブル７２は、ＲＩＳ２から送信されたオーダー情報Ｄ１と、モダリティＭから送信された医用画像データＤ３とを蓄積的に記憶するデータテーブルである。ＣＰＵ１０は、オーダー表示処理や画像表示処理を実行する際に、検像待ちリストテーブル７２に記憶されたオーダー情報Ｄ１と、医用画像データＤ３とを読み出して表示部３０に表示する。【００４５】
オーダー表示処理は、オーダー情報Ｄ１と、医用画像データＤ３に含まれるヘッダ情報Ｄ５との整合性を撮影技師が確認する際に実行される処理である。ＣＰＵ１０は、オーダー表示処理を開始すると、検像待ちリストテーブル７２から、同一の検査情報を含むオーダー情報Ｄ１と、医用画像データＤ３のヘッダ情報Ｄ５とを読み出し、このオーダー情報Ｄ１が有する患者情報及び検査情報と、ヘッダ情報Ｄ５が有する患者情報及び検査情報とをそれぞれ突き合わせて表示部３０に表示させる。このとき、撮影技師は、表示された患者情報と検査情報の整合が取れていない場合は、入力部２０を操作して適宜修正する。【００４６】
画像表示処理は、医用画像データＤ３に含まれる画像データＤ７の撮影状態を撮影技師が確認する際に実行される処理である。ＣＰＵ１０は、画像表示装置を開始すると、検像待ちリストテーブル７２から医用画像データＤ３を読み出して、その医用画像データＤ３のヘッダ情報Ｄ５の内容と、画像データＤ７に基づいた医用画像とを表示部３０に表示させる。撮影技師は、表示された医用画像が診断に適した画質ではないと判断した際には、入力部２０を操作して、当該画像データＤ７に階調（濃度／コントラスト）補正処理や回転・反転処理を行わせる。【００４７】
また、画像表示処理の際に、画像データＤ７に施す処理としてアノテーション補正処理がある。アノテーション補正処理は、モダリティＭによって画像データＤ７の中に記録されたアノテーションの画像（以下、「アノテーション画像」という。）を修正したり、新たにアノテーション画像を追加したりする処理である。このアノテーション補正処理において、ＣＰＵ１０は、アノテーション登録テーブル７４を参照する。【００４８】
図４に、アノテーション登録テーブル７４のデータ構成の一例を示す。アノテーション登録テーブル７４は、図４に示すように、モダリティ情報７５と、検査部位情報７６と、アノテーションデータ７７とを対応付けて記憶するデータテーブルである。モダリティ情報７５は、モダリティＭの種別を示すデータであり、検査部位情報７６は、患者の撮影対象となる部位を示すデータである。【００４９】
アノテーションデータ７７は、対応付けられたモダリティ情報７５が示すモダリティにおいて検査部位情報７６で示される部位の撮影を行う際の、患者の体位や撮影方向等を示すデータであり、テキストデータと画像データとを有して構成される。このアノテーションデータ７７は、初期状態において予め設定・記憶され、ユーザにより適宜設定・登録される。従って、モダリティＭ毎の撮影における検査部位毎に、ユーザは、所望のアノテーションデータ７７を事前登録して、追加・補正するアノテーションをカスタマイズできる。【００５０】
例えば、図４において、モダリティ情報７５の「ＣＲ」には、「ＣＲ」にて撮影する患者の部位として「胸部」及び「腹部」という検査部位情報７６が対応付けられて記憶されている。また、検査部位情報７６の「胸部」には、「Ｒ」、「Ｌ」、「Ａ→Ｐ」、「Ｐ→Ａ」、「正面」、「側面」、・・・といった複数のアノテーションデータ７７が対応付けられている。【００５１】
ＣＰＵ１０は、アノテーション補正処理において、表示している医用画像のヘッダ情報Ｄ５からモダリティ情報Ｄ５１と検査部位情報Ｄ５４とを抽出し、この抽出したモダリティ情報Ｄ５１と検査部位情報Ｄ５４とに適合するアノテーションデータ７７をアノテーション登録テーブル７４から読み出して、そのテキストデータを表示部３０に一覧表示させる。【００５２】
即ち、ヘッダ情報Ｄ５のモダリティ情報Ｄ５１と同一のモダリティ情報７５をアノテーション登録テーブル７４から選択し、そのモダリティ情報７５に対応付けられた検査部位情報７６を選択する。そして、その検査部位情報７６の中で、ヘッダ情報Ｄ５の検査部位情報Ｄ５４と同一の検査部位情報７６を選択し、当該検査部位情報７６に対応付けられたアノテーションデータ７７を読み出して、表示部３０に一覧表示させる。  【００５３】
ＣＰＵ１０は、撮影技師の入力部２０の操作により選択されたアノテーションデータ７７の画像データを、指定された医用画像上の位置に貼り付ける画像処理を施して、医用画像データＤ３の画像データＤ７を更新する。このように、医用画像データＤ３が撮影されたモダリティＭや検査部位に応じた適切なアノテーションデータ７７が表示されるようになるため、撮影技師は、容易に所望のアノテーションデータ７７を選択することができる。【００５４】
次に、検像装置１の具体的な動作について図５及び６のフローチャートと、図７Ａ及び図７Ｂの表示画面例を参照して説明する。【００５５】
先ず、ＣＰＵ１０は、ＲＩＳ２からオーダー情報Ｄ１を受信すると、当該オーダー情報を検像待ちリストテーブル７２に記憶する（ステップＳ１）。そして、モダリティＭから医用画像データＤ３を受信して（ステップＳ３）、同一の検査情報Ｄ５２を有する医用画像データＤ３毎に検像待ちリストテーブル７２に蓄積記憶する（ステップＳ５）。【００５６】
ＣＰＵ１０は、一検査分の医用画像データＤ３を受信したか否か判定し（ステップＳ７）、受信していないと判定した際には（ステップＳ７；Ｎｏ）、ステップＳ３に処理を移行して、医用画像データＤ３の受信を待機する。この一検査分の医用画像データＤ３を受信したか否かの判定は、例えば、モダリティＭから送信される検査終了信号の受信の有無により判定してもよいし、適宜公知技術を採用可能である。【００５７】
ステップＳ７において、一検査分の医用画像データＤ３を受信したと判定した場合（ステップＳ７；Ｙｅｓ）、ＣＰＵ１０は、上述したオーダー表示処理と画像表示処理とを実行する（ステップＳ９，Ｓ１１）。次に、入力部２０の操作に従って、アノテーションの補正を行うか否かを判定し（ステップＳ１３）、当該補正を行うと判定した際には（ステップＳ１３；Ｙｅｓ）、図６に示すアノテーション補正処理を実行する（ステップＳ１５）。また、補正を行わないと判定した際には（ステップＳ１３；Ｎｏ）、図５に示すフローチャートに従った処理を終了する。【００５８】
図６に示すアノテーション補正処理において、ＣＰＵ１０、入力部２０の操作によりユーザ（撮影技師）によって指定された医用画像データＤ３のヘッダ情報Ｄ５を検像待ちリストテーブル７２から読み出し、そのヘッダ情報Ｄ５からモダリティ情報Ｄ５１及び検査部位情報Ｄ５４を抽出する（ステップＳ１７）。また、このとき、指定された医用画像データＤ３の画像データＤ７に基づいた医用画像を表示部３０に表示させる。【００５９】
そして、その抽出したモダリティ情報Ｄ５１及び検査部位情報Ｄ５４に適合するアノテーションデータ７７を上述したようにアノテーション登録テーブル７４から読み出し（ステップＳ１９）、そのアノテーションデータ７７のテキストデータを表示部３０に一覧表示させる（ステップＳ２１）。尚、このとき、アノテーションデータ７７の画像データに基づいたアノテーション画像を一覧表示することとしてもよい。【００６０】
例えば、指定された医用画像データＤ３が有するヘッダ情報Ｄ５のモダリティ情報Ｄ５１が「ＣＲ」、検査部位情報Ｄ５４が「胸部」を示すデータであった場合、ＣＰＵ１０は、アノテーション登録テーブル７４から「Ｒ」、「Ｌ」、「Ａ→Ｐ」、「Ｐ→Ａ」、・・・といったアノテーションデータ７７を読み出して、図７Ａのよう一覧リスト３４を画像データＤ７に基づいて医用画像３２と共に表示部３０に表示させる。【００６１】
ＣＰＵ１０は、ユーザの入力部２０の操作により一覧表示の中からアノテーションデータ７７が選択され（ステップＳ２３）、更に選択されたアノテーションデータ７７の画像を表示する座標位置、即ち、アノテーション表示位置が指定されるまで待機する（ステップＳ２５）。そして、表示部３０に表示させた医用画像上の指定された座標位置に、選択されたアノテーションデータ７７の画像を貼り付けるように、当該医用画像データＤ３と画像データＤ７とを合成して、医用画像上にアノテーション画像を記録する画像処理を施した後（ステップＳ２７）、アノテーション補正処理を終了する。【００６２】
例えば、図７Ａに表示部３０に表示された一覧リスト３４の中から「Ａ→Ｐ」というアノテーションデータ７７をカーソルキーやポインティングデバイスによって図７Ａのように選択し、更に、表示部３０上の座標位置ＰＴを指定すると、その選択したアノテーションデータ７７の画像データに基づいたアノテーション画像３６が図７Ｂのように医用画像３２上に貼り付けたように書き込まれる。【００６３】
以上、第１実施形態によれば、医用画像データＤ３が有するヘッダ情報Ｄ５からモダリティ情報Ｄ５１と検査部位情報Ｄ５４を抽出し、それらの情報に適合するアノテーションデータ７７アノテーション登録テーブル７４から読み出して一覧表示する。このため、複数種類のモダリティＭが検像装置１に接続されていた場合においても、モダリティ毎の適切なアノテーションを選択して医用画像上にアノテーション画像を記録することができる。また、モダリティＭの撮影の対象となる検査部位の適切なアノテーションを選択して医用画像上に記録することができる。このように、撮影技師は、膨大な数のアノテーションの中から選択するといった煩雑な操作を行うことなく、容易に医用画像上にアノテーション画像を記録することができる。【００６４】
また、モダリティＭから送信された医用画像データＤ３に既にアノテーション画像が記録されている場合には、アノテーションの表示位置を既に記録されたアノテーション画像上に指定することで、そのアノテーション画像を修正することができる。従って、アノテーションの追加・修正する際の操作性の向上を図り、使い勝手のよい検像装置１を実現することができる。【００６５】
尚、第１実施形態では、検査条件の一つである検査部位情報Ｄ５４に基づいてアノテーションデータ７７の一覧表示を行うこととしたが、他の検査条件に基づいてアノテーションデータ７７の一覧表示を行うこととしてもよい。例えば、ＤＩＣＯＭ規格に則ったヘッダ情報Ｄ５は、撮影時の体位示す情報（体位情報）が含まれるため、この体位情報に基づいてアノテーションデータ７７の一覧表示を行う。【００６６】
この場合、モダリティ情報７５と、体位情報と、アノテーションデータ７７とを対応付けて記憶するアノテーション登録テーブルを予め記憶部７０に記憶しておくことで、上述した第１実施形態と同様の処理が実現可能である。【００６７】
また、異なる検査条件毎にアノテーションデータ７７を記憶するアノテーション登録テーブル７４を複数記憶しておき、ユーザ（撮影技師）が所望の検査条件に応じてそのテーブルを選択可能にしてもよい。この場合、図６のステップＳ１７の処理前に、ユーザの入力部２０の操作によって検査条件の選択を受け付け、その選択された検査条件をステップＳ１７においてヘッダ情報Ｄ５から抽出し、ステップＳ１９において当該検査条件毎に分類して記憶したアノテーション登録テーブル７４からアノテーションデータ７７を読み出すことで実現可能である。【００６８】
これにより、撮影技師は、アノテーションの一覧を表示させる際に、例えば、検査部位により分類されるアノテーションや体位により分類されるアノテーション、撮影方向により分類されるアノテーションといった所望の検査条件で分類されるアノテーションの中から選択することができ、より使い勝手のよい検像装置１が実現される。【００６９】
〔第２実施形態〕
次に、検像装置１の第２実施形態について図８〜図１０を参照して説明する。尚、第２実施形態における検像装置１は、図４に示したアノテーション登録テーブル７４を、図９に示すアノテーション登録テーブル８０に置き換えた構成により実現され、他の機能構成は図３に示した検像装置１と同一であるので、その詳細な説明は省略する。【００７０】
第１実施形態においては、モダリティＭから受信した医用画像データＤ３のヘッダ情報Ｄ５に含まれるモダリティ情報Ｄ５１及び検査部位情報Ｄ５４に基づいてアノテーションの一覧表示を行うこととしたが、第２実施形態においては、ＲＩＳ２から受信したオーダー情報Ｄ１に基づいてアノテーションの一覧表示を行う。【００７１】
このオーダー情報Ｄ１のデータ構成の一例を図８に示す。図８によれば、オーダー情報Ｄ１は、モダリティ情報Ｄ１１、検査情報Ｄ１２、患者情報Ｄ１３及び検査コードＤ１４を有して構成され、例えば、診療データ交換規格のＨＬ７に則ったデータである。尚、図８に示すオーダー情報Ｄ１は、本実施形態において主要なデータを模式化しものであり、他のデータの図示は省略している。【００７２】
モダリティ情報Ｄ１１は、医師が撮影依頼を行ったモダリティＭの種別を示すデータである。検査情報Ｄ１２は、検査内容を示すデータであり、一つの検査に対して割り振られるユニークなＩＤや検査日時等が含まれる。患者情報Ｄ１３は、撮影依頼が行われた患者の氏名やＩＤ、性別等を含むデータである。検査コードＤ１４は、患者の撮影対象となる部位や撮影方向、体位等を示すデータであり、例えば、ＪＪ１０１７−３２コードにより記述される。これらのデータを含むオーダー情報Ｄ１は、ＨＩＳ６やＲＩＳ２により設定される。【００７３】
また、図９に、第２実施形態におけるアノテーション登録テーブル８０のデータ構成の一例を示す。図９に示すように、アノテーション登録テーブル８０は、モダリティ情報８１と、検査コード８２と、アノテーションデータ８３とを対応付けて記憶するデータテーブルである。モダリティ情報８１は、モダリティＭの種別を示すデータである。検査コード８２は、患者の撮影対象となる部位を示すデータであり、オーダー情報Ｄ１の検査コードＤ１４と同一のコード形式で記述される。【００７４】
アノテーションデータ８３は、対応付けられたモダリティ情報８１のモダリティＭにおいて、検査コード８２で示される患者の体位や撮影方向等を表すデータであり、テキストデータと画像データとを有して構成される。尚、これらのデータは、初期状態において予め設定・記憶されることとしてもよいし、ユーザが適宜設定できることとしてもよい。【００７５】
例えば、図９において、モダリティ情報８１の「ＣＲ」には、「１００００００２０００１０３０」、「１００００００２０００１０４０」、・・・、といった複数の検査コード８２が対応付けられた記憶されている。この検査コード８２「１００００００２０００１０３０」は、例えば、検査部位が胸部であり、正面（Ａ→Ｐ）からの撮影であることを意味している。また、検査コード８２の「１００００００２０００１０３０」には、「Ａ→Ｐ」、「正面」といった複数のアノテーションデータ８３が対応付けられている。【００７６】
図１０は、第２実施形態におけるアノテーション補正処理を説明するためのフローチャートである。尚、図６に示した第１実施形態におけるアノテーション補正処理と同一の処理ステップには、同一のステップ番号を付して、その詳細な説明は省略する。【００７７】
図１０によれば、ＣＰＵ１０は、ユーザ（撮影技師）の入力部２０の操作により指定された医用画像データＤ３のヘッダ情報Ｄ５を検像待ちリストテーブル７２から読み出し、そのヘッダ情報Ｄ５に含まれる検査情報Ｄ５２と同一の検査情報Ｄ１２を含むオーダー情報Ｄ１を検像待ちリストテーブル７２から読み出す（ステップＳ３５）。また、このとき、指定された医用画像データＤ３の画像データＤ７に基づいた医用画像を表示部３０に表示させる。【００７８】
そして、読み出したオーダー情報Ｄ１からモダリティ情報Ｄ１１と検査コードＤ１４とを抽出し（ステップＳ３７）、その抽出したモダリティ情報Ｄ１１及び検査コードＤ１４に適合するアノテーションデータ８３をアノテーション登録テーブル８０から読み出す（ステップＳ３９）。【００７９】
即ち、オーダー情報Ｄ１のモダリティ情報Ｄ１１と同一のモダリティ情報８１をアノテーション登録テーブル８０から選択し、そのモダリティ情報８１に対応付けられた検査コードＤ１４を更に選択する。そして、その検査コード８２の中で、オーダー情報Ｄ１の検査コードＤ１４と同一の検査コード８２を選択し、当該検査コード８２に対応付けられたアノテーションデータ８３を読み出す。【００８０】
ＣＰＵ１０は、ステップＳ３９において読み出したアノテーションデータ８３のテキストデータを、第１実施形態と同様に表示部３０に一覧表示させる。そして、その選択されたアノテーションデータ８３の画像データを医用画像上の指定された座標位置に貼り付ける画像処理を施して、医用画像データＤ３の画像データＤ７を更新する（ステップＳ２１〜Ｓ２７）。【００８１】
以上、第２実施形態によれば、ＲＩＳ２から受信したオーダー情報Ｄ１に含まれるモダリティ情報Ｄ１１と検査コードＤ１４を抽出し、それらの情報に適合するアノテーションデータ８３をアノテーション登録テーブル８０から読み出して一覧表示する。検査コードＤ１４は、コード形式の記述によって撮影時の部位や撮影方向、体位等を表す詳細なデータであるため、撮影時の検査条件に基づいて更に絞り込んだアノテーションデータ８３の一覧表示を表示することができる。【００８２】
このため、撮影技師は、膨大な数のアノテーションの中から選択するといった煩雑な操作を行うことなく、容易にアノテーションを選択することができる。従って、アノテーションの追加・修正する際の操作性の向上を図り、使い勝手のよい検像装置１を実現することができる。【００８３】
尚、本実施形態は本発明を適用した一例であり、その適用可能な範囲は上述したものに限られない。例えば、第１及び第２実施形態のアノテーション登録テーブル７４及び８０の両方を記憶部７０に記憶しておき、医用画像データＤ３に含まれるモダリティ情報Ｄ５１及び検査部位情報Ｄ５４と、オーダー情報Ｄ１に含まれるモダリティ情報Ｄ１１及び検査コードＤ１４に基づいてアノテーションデータの一覧表示を行うこととしてもよい。
【産業上の利用可能性】
【００８４】
医療分野において利用することが可能であり、ＨＩＳやＲＩＳから送信されるオーダー情報と、モダリティから送信される医用画像データとを受信して、オーダー情報及び医用画像データを表示出力して、撮影技師がこれらのデータを目視にてチェックして修正・調整を行うための検像装置に適用することができる。
【符号の説明】
【００８５】
１      検像装置
１０    ＣＰＵ
２０    入力部
３０    表示部
４０    通信部
７０    記憶部
７２    検像待ちリストテーブル
７４    アノテーション登録テーブル
７５    モダリティ情報
７６    検査部位情報
７７    アノテーションデータ
Ｄ１    オーダー情報
Ｄ１１  モダリティ情報
Ｄ１２  検査情報
Ｄ１４  検査コード
Ｄ３    医用画像データ
Ｄ５    ヘッダ情報
Ｄ５１  モダリティ情報
Ｄ５２  検査情報
Ｄ５４  検査部位情報
Ｄ７    画像データ
Ｍ      モダリティ
【図１】
2007119615.tif 000003
【図２Ａ】
2007119615.tif 000004
【図２Ｂ】
2007119615.tif 000005
【図３】
2007119615.tif 000006
【図４】
2007119615.tif 000007
【図５】
2007119615.tif 000008
【図６】
2007119615.tif 000009
【図７Ａ】
2007119615.tif 000010
【図７Ｂ】
2007119615.tif 000011
【図８】
2007119615.tif 000012
【図９】
2007119615.tif 000013
【図１０】
2007119615.tif 000014
【国際調査報告】
2007119615.tif 000015
2007119615.tif 000016